【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
正確に較正された電力出力を有し、モバイル装置（３０）の誘導電力充電を試験する試験ユニット（１０）であって、該試験ユニットは、
ＤＣ電源（１１３）によって電力供給される電気回路（１１）であって、複数の周波数ｆのそれぞれにおいて電力を生成する能力を有し、
使用中の該モバイル装置の二次レシーバコイルに対して電力を誘導伝送する一次トランスミッタコイル（１１１）と、
特定の周波数において共振を有する共振回路を得るべく、該一次トランスミッタコイルと直列に接続されたキャパシタ（１１２）と、
を有する電気回路（１１）と、
電力較正モード及び試験モードにおいて動作するように構成された制御ユニット（１２）であって、該制御ユニットは、該電力較正モードにおいて、
該一次トランスミッタコイル（１１１）上において供給された電圧Ｕの計測値を受け取り、
該一次トランスミッタコイル（１１１）を通じて流れる電流Ｉの計測値を受け取り、
該複数の周波数の少なくとも一つの電力周波数ｆについて、
二次レシーバコイルが該一次トランスミッタコイル（１１１）に対して誘導接続されていない状態において、
該計測されたＵ又は該計測されたＩのいずれかを時間補償パラメータによって時間補償することにより、所定の期間にわたって積分されたＵとＩとの積である該一次トランスミッタコイルから伝送された誘導電力がゼロになるように、該計測された電圧Ｕと該計測された電流Ｉとの間における該電気回路（１１）内の信号経路における位相シフトについて補償する該時間補償パラメータΔt(f)を導出し、該時間補償パラメータΔt(f)をメモリ内に保存し、
該計測された電圧Ｕによって乗算された電圧増幅定数ＫU-MDT(f)が、それぞれの電力周波数ごとに、基準電圧に等しくなるように、前記少なくとも一つの電力周波数について該一次トランスミッタコイル（１１１）上で直接的に計測される該基準電圧に基づいて電圧増幅定数ＫU-MDT(f)を導出し、
較正器ユニット（２０）の二次レシーバコイル（２１１）が該一次トランスミッタコイル（１１１）に対して誘導接続されている状態において、
該較正器ユニット（２０）から、該一次トランスミッタから伝送された実際の誘導電力ＰTX-ACTUAL(f)の情報を有するデータを収容する較正信号を受け取り、
該一次トランスミッタコイルから伝送された算出された誘導電力ＰTX(f)が、前記少なくとも一つの電力周波数について、該伝送された実際の誘導電力ＰTX-ACTUAL(f)に等しくなるために必要とされる電流増幅定数ＫI-MDT(f)を導出し、該電流増幅定数ＫI-MDT(f)をメモリ内に保存する、
ように構成されている制御ユニット（１２）と、
を具備する試験ユニット。
【請求項２】
該一次コイルから伝送された誘導電力ＰTX(f)は、次式を使用することによって算出され、
ＰTX(f)＝∫Ｕ＊ＫU-MDT(f)＊ＩΔt(f)＊ＫI-MDT(f)−ＲESR(f) ＊Ｉ2＊ＫI-MDT(f)2
ここで、ＫU-MDTは、該導出された電圧増幅定数を表記しており、ＩΔt(f)は、該時間補償された計測電流Ｉを表記しており、Ｕは、該計測された電圧を表記しており、ＫI-MDT(f)は、該導出された電流増幅定数を表記しており、且つ、ＲESR(f)は、電力周波数ｆにおける既知のトランスミッタコイル等価直列抵抗値を表記しており、且つ、該積分は、所定の期間にわたって実施される、請求項１に記載の試験ユニット（１０）。
【請求項３】
該一次コイルから伝送された誘導電力ＰTX(f)は、次式を使用することによって算出され、
ＰTX(f)＝∫ＵΔt(f)＊ＫU-MDT(f)＊Ｉ＊ＫI-MDT(f)−ＲESR(f)＊Ｉ2＊ＫI-MDT(f)2
ここで、ＫU-MDTは、該導出された電圧増幅定数を表記しており、ＵΔt(f)は、該時間補償された計測電圧Ｕを表記しており、Ｉは、該計測された電流を表記しており、ＫI-MDT(f)は、該導出された電流増幅定数を表記しており、且つ、ＲESR(f)は、電力周波数ｆにおける既知のトランスミッタコイル等価直列抵抗値を表記しており、且つ、該積分は、所定の期間にわたって実施される、請求項１に記載の試験ユニット（１０）。
【請求項４】
該試験モードにおいて、それぞれの関連する電力周波数について、
使用中の該一次トランスミッタコイル（１１１）に対して誘導結合されている二次レシーバコイル（３１）を有するモバイル装置（３０）から、受け取られた誘導電力ＰRX(f)の尺度の情報を有するデータを収容する信号を受け取り、
該一次トランスミッタコイル（１１１）上において供給された電圧Ｕの計測値を受け取り、
該一次トランスミッタコイル（１１１）を通じて流れる電流Ｉの計測値を受け取り、
該一次トランスミッタコイルから伝送された誘導電力ＰTX(f)を算出し、
該受け取られた電力ＰRX(f)を、該一次トランスミッタコイルから伝送された算出された誘導電力ＰTX(f)と比較し、それぞれの電力周波数ごとの該モバイル装置（３０）の該誘導電力充電能力の品質評価を判定し、且つ、
該モバイル装置の該誘導電力充電能力の該品質評価の情報を有する信号を伝送する、
ように構成されている、請求項２又は請求項３に記載の試験ユニット。
【請求項５】
該一次トランスミッタコイル内の誘導電力損失ＰLOSS(f)が、次式、
ＰLOSS(f)＝ＲESR(f)＊Ｉ2＊ＫI-MDT(f)2
によって定義される、請求項２に記載の試験ユニット（１０）。
【請求項６】
それぞれの電圧計測値は、予め定義された期間にわたる複数の電圧サンプルに基づいている、請求項１から請求項５までのいずれか一項に記載の試験ユニット（１０）。
【請求項７】
それぞれの電流計測値は、予め定義された期間にわたる複数の電流サンプルに基づいている、請求項１から請求項６までのいずれか一項に記載の試験ユニット（１０）。
【請求項８】
該制御ユニットは、該時間補償パラメータΔt(f)と該電力周波数ｆとの間の関係を表す第一多項式関数を生成するように更に構成されている、請求項１から請求項７までのいずれか一項に記載の試験ユニット（１０）。
【請求項９】
該制御ユニットは、該電流増幅定数ＫI-MDT(f)と該電力周波数ｆとの間の関係を表す第二多項式関数を生成するように更に構成されている、請求項１から請求項８までのいずれか一項に記載の試験ユニット（１０）。
【請求項１０】
該時間補償パラメータΔt(f)は、該一次コイルから伝送された誘導電力ＰTX(f)の算出を目的として該第一多項式関数から取得される、請求項２に従属した際の請求項８に記載の試験ユニット（１０）。
【請求項１１】
該電流増幅定数ＫI-MDT(f)は、該一次コイルから伝送された誘導電力ＰTX(f)の算出を目的として該第二多項式関数から取得される、請求項２に従属した際の請求項９に記載の試験ユニット（１０）。
【請求項１２】
請求項１から請求項１１までのいずれか一項に記載の試験ユニット（１０）と、該試験ユニット（１０）を較正する較正器ユニット（２０）と、を具備するシステムであって、該較正器ユニットは、
電気回路（２１）であって、
使用中の該試験ユニット（１０）の一次トランスミッタコイルから特定の周波数の電力を受け取る二次レシーバコイル（２１１）と、
該二次レシーバコイルと直列に接続されると共に明確に定義された抵抗値ＲCALを有する高精度抵抗器（２１２）と、
を有する電気回路（２１）と、
較正器制御ユニット（２２）であって、少なくとも一つの電力周波数について、
該抵抗器（２１２）上における一つの電圧計測値ＵCAL(f)を受け取り、
オームの法則を使用することにより、該一つの計測された電圧と該抵抗器の抵抗値とのみに基づいて該二次レシーバコイルによって受け取られた実際の誘導電力ＰTX-ACTUAL(f)を算出し、
使用中の該試験ユニット（１０）に、該二次レシーバコイル（２１１）によって受け取られた該算出された実際の電力ＰTX-ACTUALの情報を有するデータを収容する信号を伝送する、
ように構成された較正器制御ユニット（２２）と、
を具備する、システム。
【請求項１３】
該二次レシーバによって受け取られた該実際の電力ＰTX-ACTUAL(f)は、次式、
ＰTX-ACTUAL(f)＝ＵCAL(f)2＊ＫU-CAL(f)2／ＲCAL
を使用して算出され、ここで、ＫU-CAL(f)は、該較正器ユニット（２０）のために導出された電圧増幅定数を表記している、請求項１２に記載のシステム。
【請求項１４】
正確に較正された電力出力を有すると共に較正モードにおいて動作する試験ユニット（１０）を使用して、モバイル装置（３０）の誘導電力充電を試験する方法（４０）であって、
該試験ユニット（１０）の一次トランスミッタコイル上において供給された電圧Ｕを計測するステップ（４１）と、
該一次トランスミッタコイルを通じて流れる電流Ｉを計測するステップ（４２）と、
少なくとも一つの電力周波数ｆについて、
二次レシーバコイルが該一次トランスミッタコイル（１１１）に対して誘導接続されていない状態において、
該計測されたＵ又は該計測されたＩのいずれかを時間補償パラメータによって時間補償することにより、所定の期間にわたって積分されたＵとＩとの積である該一次トランスミッタコイルから伝送された誘導電力がゼロになるように、該計測された電圧Ｕと該計測されたＩとの間における該試験ユニット（１０）の信号経路における位相シフトについて補償する該時間補償パラメータΔt(f)を導出するステップ（４３ａ）と、
該計測された電圧Ｕによって乗算された電圧増幅定数ＫU-MDT(f)が、前記少なくとも一つの電力周波数について、基準電圧に等しくなるように、前記少なくとも一つの電力周波数について、該一次トランスミッタコイル（１１１）上で直接的に計測される該基準電圧に基づいて該電圧増幅定数ＫU-MDT(f)を導出するステップ（４４）と、
較正器ユニット（２０）の二次レシーバコイル（２１１）が該一次トランスミッタコイル（１１１）に対して誘導接続された状態において、
該較正器ユニット（２０）から、該一次トランスミッタコイルから伝送された実際の誘導電力ＰTX-ACTUAL(f)の情報を有するデータを収容する較正信号を受け取るステップ（４５）と、
該一次トランスミッタコイルから伝送された算出された誘導電力ＰTX(f)が、前記少なくとも一つの電力周波数について、該伝送された実際の誘導電力ＰTX-ACTUAL(f)に等しくなるために必要とされる電流増幅定数ＫI-MDT(f)を導出し、該電流増幅定数ＫI-MDT(f)をメモリ内に保存するステップ（４６）と、
を具備する方法。
【請求項１５】
該試験ユニット（１０）が試験モードにおいて動作している際に、それぞれの関連する電力周波数について、
使用中の該一次トランスミッタコイル（１１１）に対して誘導結合されている二次レシーバコイル（３１）を有するモバイル装置（３０）から、受け取られた誘導電力ＰRX(f)の尺度の情報を有するデータを収容する信号を受け取るステップ（５１）と、
該一次トランスミッタコイル（１１１）上において供給されている電圧Ｕの計測値を受け取るステップ（５２）と、
該一次トランスミッタコイル（１１１）を通じて流れる電流Ｉの計測値を受け取るステップ（５３）と、
次の二つの式のうちの一つを使用して、該一次トランスミッタコイルから伝送された誘導電力ＰTX(f)を算出するステップ（５４）であって、
ＰTX(f)＝∫ＵΔt(f)＊ＫU-MDT(f)＊Ｉ＊ＫI-MDT(f)−ＲESR(f)＊Ｉ2＊ＫI-MDT(f)2
ここで、ＫU-MDTは、該導出された電圧増幅定数を表記しており、ＵΔt(f)は、該時間補償された計測電圧Ｕを表記しており、Ｉは、該計測された電流を表記しており、ＫI-MDT(f)は、該導出された電流増幅率を表記しており、且つ、ＲESR(f)は、電力周波数ｆにおける既知のトランスミッタコイル等価直列抵抗値を表記しており、該積分は、所定の期間にわたって実施され、或いは、
ＰTX(f)＝∫Ｕ＊ＫU-MDT(f)＊ＩΔt(f)＊ＫI-MDT(f)−ＲESR(f)＋Ｉ2＊ＫI-MDT(f)2
ここで、ＫU-MDTは、該導出された電圧増幅定数を表記しており、ＩΔt(f)は、該時間補償された計測電流Ｉを表記しており、Ｕは、該計測された電圧を表記しており、ＫI-MDT(f)は、該導出された電流増幅率を表記しており、且つ、ＲESR(f)は、電力周波数ｆにおける既知のトランスミッタコイル等価直列抵抗値を表記しており、該積分は、所定の期間にわたって実施される、ステップ（５４）と、
該受け取られた電力ＰRX(f)を、該一次トランスミッタコイルから伝送された該算出された誘導電力ＰTX(f)と比較し、それぞれの電力周波数ごとに該モバイル装置の誘導電力充電能力の品質評価を判定するステップ（５５）と、
該モバイル装置の該誘導電力充電能力の該品質評価の情報を有する信号を伝送するステップ（５６）と、
を更に具備する、請求項１４に記載の方法（４０）。